(57)【特許請求の範囲】
【請求項１】
未使用状態で折畳まれた組立て自在の段ボールケース３と該段ボールケース３の中にかぶせるプラスチック製袋４と包装袋５に収納された汚水固化剤２とから成る汚水処理セットの体積を、洗浄液を撒いた床面10をクリーニング装置９を用いて洗浄するビルメンテナンスにおける清掃作業から発生する処理可能な汚水Ｄの体積の半分以下とし、該汚水処理セットを汚水Ｄが発生した現場に持ち込んで、該現場に於て、未使用状態で折畳まれている焼却可能な上記段ボールケース３を組立てると共に該段ボールケース３の中にプラスチック製袋４をかぶせて容器体１を準備し、上記包装袋５には、該容器体１の容量に対応して決められた汚水Ｄの設定投入量に対応した分量の上記汚水固化剤２が、予め計量して収納されており、該容器体１の内部に所定量の汚水Ｄを入れてから汚水Ｄ 100重量部に対して１〜５重量部の割合で汚水固化剤２を加えて混合し、固化処理した汚水を収納した容器体１の容積を、固化前の汚水Ｄの体積の 1.2倍以下とし、汚水Ｄの固化後に現場から上記容器体１を搬出して焼却場にて焼却することを特徴とする汚水処理方法。
【発明の詳細な説明】
【０００１】
【発明の属する技術分野】
本発明は、汚水処理方法に関する。
【０００２】
【従来の技術】
例えば、ビルメンテナンスに於て、清掃業者によりフロアーポリッシュ剥離液、床表面洗浄液、カーペットシャンプーやリンス等を使用して床面の洗浄が行われる。このとき、洗浄により発生した汚水は清掃業者により清掃現場から回収される。
【０００３】
ところで、（上述の如く）洗浄により発生した汚水にはアクリル樹脂、可塑剤、界面活性剤、溶剤、アミン等の成分が含まれているが、清掃業者により回収された汚水は、下水道、浄化槽、河川、農業用水などにそのままあるいは希釈されて流されていた。そのため、水質や周辺土壌が汚染されるといった問題が生じていた。
【０００４】
そのため近年では、環境保護法による環境基準が厳しくなり、ビルメンテナンス業界においても環境保護が責務となっている。従って、清掃業者も回収した汚水を下水道等に流さず持ち帰って処理しなければならず、この場合、汚水のｐＨを調整し、凝集剤を加え、沈殿・浮遊物質を濾過等の方法により除去している。これにより、樹脂分、油性溶剤等は除去できるが、水溶性溶剤や界面活性剤など除去できない物質がある。水溶性溶剤については活性炭などによる吸着処理を行う必要があり、非イオン性界面活性剤の除去にはそれに適した凝集剤を選定する必要がある。
【０００５】
【発明が解決しようとする課題】
しかしながら、このような方法では、清掃業者が一旦持ち帰った汚水を処理設備のあるところへ運搬しなければならず、汚水が運搬中にこぼれるといったトラブルも発生し易い。さらに、処理設備に費用がかかり、ｐＨ調整や凝集に薬剤が必要であり、専門の知識や技能を有する者が処理する必要があるといった問題がある。また、凝集により除去したものや活性炭などはさらに焼却等の処理を行う必要がある。しかも、この方法で汚水中の有害物質を完全に除去することは困難である。さらに、清掃業者等の産業廃棄物排出事業者へは、煩雑な手続が義務づけられており、廃棄物処理をより面倒なものとしていた。
【０００６】
そこで、本発明は、上述の課題を解決し、下水道や河川等を汚さずに簡便かつ低コストにて汚水を処理することができる汚水処理方法を提供することを目的とする。
【０００７】
【課題を解決するための手段】
上述の目的を達成するために、本発明の汚水処理方法は、未使用状態で折畳まれた組立て自在の段ボールケースと該段ボールケースの中にかぶせるプラスチック製袋と包装袋に収納された汚水固化剤とから成る汚水処理セットの体積を、洗浄液を撒いた床面をクリーニング装置を用いて洗浄するビルメンテナンスにおける清掃作業から発生する処理可能な汚水の体積の半分以下とし、該汚水処理セットを汚水が発生した現場に持ち込んで、該現場に於て、未使用状態で折畳まれている焼却可能な上記段ボールケースを組立てると共に該段ボールケースの中にプラスチック製袋をかぶせて容器体を準備し、上記包装袋には、該容器体の容量に対応して決められた汚水の設定投入量に対応した分量の上記汚水固化剤が、予め計量して収納されており、該容器体の内部に所定量の汚水を入れてから汚水 100重量部に対して１〜５重量部の割合で汚水固化剤を加えて混合し、固化処理した汚水を収納した容器体の容積を、固化前の汚水の体積の 1.2倍以下とし、汚水の固化後に現場から上記容器体を搬出して焼却場にて焼却する。
【０００８】
【発明の実施の形態】
以下、実施の形態を示す図面に基づき、本発明を詳説する。
【０００９】
図１は、本発明に係る汚水処理セットの実施の一形態を示す。この汚水処理セットは、汚水を入れる燃焼可能な材料から成る容器体１と、汚水を吸水して固化する汚水固化剤２と、を備える。
【００１０】
具体的に説明すると、容器体１は、清掃現場へ持ち運び易くかつ汚水を入れる口の大きいものであって、燃焼するものが好ましいことから、段ボールケース３と段ボールケース３の中にかぶせる（例えば、ポリ塩化ビニルやポリエチレンの）プラスチック製袋４と、から構成される。しかして、図１は汚水処理セットの未使用状態を示し、このとき段ボールケース３は折畳まれた状態であり、汚水固化剤２は包装袋５に収納されている。換言すると、現場に持ち込む際の汚水処理セットの体積が処理可能な汚水Ｄの体積の半分以下であるように、コンパクトであることが望ましい。
【００１１】
また、汚水固化剤２は、アクリル酸重合物金属塩等の吸水性樹脂、おが屑、紙等の吸水性材料から成り、この汚水固化剤２の添加量は、汚水  １００重量部に対して  ０．５〜２０．０重量部とされているが、特に１〜５重量部が好ましい。さらに、上記アクリル酸重合物金属塩等の吸水性樹脂、おが屑、紙等の吸水性材料の内、添加量が少量で良く、吸水して固化するまでの時間が短いことなどの理由により、アクリル酸重合物金属塩等の吸水性樹脂を用いることが好ましい。なお、容器体１の容量に対応して、汚水を入れる量（設定投入量）が決められており、その設定投入量に対応した分量の汚水固化剤２が包装袋５に予め計量して収納されている。
【００１２】
ところで、図１と図２に示すように、この汚水処理セットを、例えば１０セットを１組として梱包すれば、台車１３等にて清掃現場へ複数セットまとめて運搬することができ、取扱い上も都合が良い。即ち、１０枚の段ボールケース３…を紐体８，８にてくくり、１０枚のプラスチック製袋４…を袋体６にて包装し、１０個の汚水固化剤２…を箱体７に収納した荷姿とする。なお、図２に於て、段ボールケース３…，袋体６，箱体７等は、図５（イ）に示す如く、まとめて包装箱１４（段ボール）に収納した状態で、台車１３に載せるのが望ましい。
【００１３】
次に、本発明の汚水処理セットを用いた汚水処理方法の一例を説明する。例えば、ビルメンテナンスにおける清掃作業の場合、図３（イ）に示すように、洗浄液を撒いた床面１０をクリーニング装置９を用いて洗浄するが、このときクリーニング装置９は洗浄しつつ汚れた洗浄水（汚水）を内部タンクに吸引回収していく。
【００１４】
そして、クリーニング装置９の内部タンクに汚水が大方溜まったところで、図５（イ）に示すように、包装箱１４内に収納した１０セットの汚水処理セットの内の１セットを、包装箱１４の口を開けて取出し、図３（ロ）に示す如く、段ボールケース３を組立てると共にプラスチック製袋４をかぶせて、容器体１を準備する。そして、同図（ハ）に示すように、クリーニング装置９の排水ホース１１から排出した汚水Ｄを所定量容器体１に入れる。例えば、段ボールケース３を２２０ｍｍ  ×２７０ｍｍ  ×２００ｍｍ  の大きさに設定し、袋４を６５０ｍｍ  ×８００ｍｍ  の大きさに設定した容器体１の場合、汚水Ｄを１０ｋｇ入れるようにする。
【００１５】
その後、図４（イ）に示すように、容器体１内の汚水Ｄに所定量の汚水固化剤２を加えて攪拌混合する。具体的には、１０ｋｇの汚水Ｄに対して、吸水性樹脂から成る汚水固化剤２を  ２００ｇ  （一袋）混合する。汚水固化剤２により汚水Ｄが吸水されてゲル状に固化するが、このとき、容器体１内で固化した汚水Ｄの体積は、固化前の汚水Ｄの体積の  １．２倍以下となっている。つまり、汚水固化剤２が膨潤したために体積が増加するが、体積増加率を  １．２倍以下と低く抑えて汚水Ｄの処理効率を高くしている。
【００１６】
その後、図４（ロ）に示す如く、袋４内の空気を抜いて口を固く結び、同図（ハ）に示す如く、テープ１２を貼付けて段ボールケース３を閉じる。このようにして、包装箱１４から汚水処理セットを１セットずつ順次取出して容器体１を組立てて汚水Ｄを入れ、固化させて梱包していくと共に、図５（ロ）に示す如く、梱包した（固化した汚水Ｄを入れた）容器体１…を順次台車１３に載せていく。
【００１７】
清掃作業後、業者は梱包した容器体１…（固化した汚水Ｄの入った容器体１…）を清掃現場から搬出して持ち帰り、保管する。後日、梱包した複数個の容器体１…を処理業者に引き渡し、処理業者がそれを焼却場にて焼却処理する。なお、焼却処理する容器体１に（運賃や焼却費を前払いしたことを証明する）プリペイドシールを貼付けておくのも良い。
【００１８】
【発明の効果】
本発明は上述の如く構成されるので、次に記載する効果を奏する。
【００１９】
（請求項１によれば）例えば、ビルメンテナンスにおける清掃作業により発生する汚水Ｄを、高度な処理知識や技術がなくても簡単に清掃現場にて固化できると共に、固化した汚水Ｄを清掃現場から容易に───汚水Ｄがこぼれるといったトラブルも無く───搬出することができる。また、容器体１自体も燃焼する材料にて形成されているため、容器体１ごと固化した汚水Ｄを焼却することができる。従って、汚水Ｄを河川や下水道等に流すこと無く容易に焼却処理することができ、環境汚濁保全に貢献できる。
【００２０】
また、汚水Ｄを固化して取扱い易くかつ可燃物として焼却処分可能とすることにより、例えば、廃棄物排出事業者（清掃業者）は汚水Ｄを固化して持ち帰り保管し、仲介業者がそれを引き取って焼却場へ搬送し、処理業者が焼却処分するといった汚水処理システムを大規模かつ容易に構成することができる。それにより、各排出事業者が処理する場合よりも低コストで済み、かつ、従来から各排出事業者が行っていた煩雑な手続を仲介業者が一手に引受け、排出事業者の負担を軽減するということもできる。
【００２１】
また、汚水Ｄが発生する現場へ嵩張らずに容易に持ち込むことができ、作業性が良好となる。また、容器体１の組立て及び梱包が容易であると共に、固化した汚水Ｄの運搬や保管時に積み重ねることができ取扱いも容易となる。
【００２２】
また、汚水固化剤２は、吸水率の高い吸水性材料から成り、かつ、少ない添加量で汚水Ｄを吸水して固化することができるので、固化した汚水Ｄの体積増加率を低く抑えることができ、容器体１一個当たりの汚水処理効率を高くすることができる。従って、容器体１一個当たりの汚水処理効率を高くするため、現場にて組立てる容器体１の数が少なくなり、作業性が良好となる。
【図面の簡単な説明】
【図１】本発明に係る汚水処理セットの実施の一形態を示す斜視図である。
【図２】複数セットの汚水処理セットを台車に乗せた状態を示す斜視図である。
【図３】清掃作業にて発生した汚水の処理手順を示す第１の説明図である。
【図４】清掃作業にて発生した汚水の処理手順を示す第２の説明図である。
【図５】固化した汚水の入った段ボールケースを台車に載せていく状態を示す説明図である。
【符号の説明】
１  容器体
２  汚水固化剤
３  段ボールケース
４  プラスチック製袋
５  包装袋
９  クリーニング装置
10  床面
Ｄ  汚水
【図１】
0003591708.tif 000002
【図２】
0003591708.tif 000003
【図３】
0003591708.tif 000004
【図４】
0003591708.tif 000005
【図５】
0003591708.tif 000006